(57)【要約】【課題】電子鏡機能を備えたテレビジョン受像機において、ユーザの自然な動作に応じて自動的にズームイン／アウトを行えるようにして、使い勝手を高める。【解決手段】ユーザがヘアースタイルのセットを行う際に、顔の周辺で手を動かすことに伴い、カメラ６によって撮像される画像のうち、顔周辺の画像が著しく変化する。制御部は、顔周辺の画像が著しく変化した場合、ユーザがヘアースタイルのセット等を行おうとしていると判断して、カメラ６によって撮像される画像を拡大（ズームイン）させて映像音声出力部５に出力させる。これにより、顔及び顔周辺の画像が映像音声出力部５に拡大表示される。【選択図】図３
2008277983.tif 000002
【特許請求の範囲】
【請求項１】
テレビジョン放送信号を受信する受信手段と、この受信手段によって受信された放送信号を処理して映像信号及び音声信号に分離する映像音声信号処理手段と、この映像音声信号処理手段によって分離された映像信号及び映像信号を出力する映像音声出力手段と、この映像音声出力手段の正面の領域を撮像して電気的な画像データを出力する撮像手段と、上記各部を制御する制御手段と、この制御手段に各種の指令を入力する指令入力手段とを備えたテレビジョン受像機において、
前記制御手段は、前記撮像手段によって撮像された画像の変化に応じて、該撮像手段によって撮像される画像を拡大又は縮小して、前記映像音声出力手段に出力させることを特徴とするテレビジョン受像機。
【請求項２】
前記撮像手段によって撮像される画像を左右反転させて前記映像音声出力手段に出力させる電子鏡モードを備えたことを特徴とする請求項１に記載のテレビジョン受像機。
【請求項３】
前記制御手段は、前記撮像手段によって撮像された画像から顔を認識し、顔周辺の画像の変化が所定の閾値よりの大きい場合、該撮像手段によって撮像される画像を拡大して前記映像音声出力手段に出力させることを特徴とする請求項１又は請求項２に記載のテレビジョン受像機。
【請求項４】
前記制御手段は、前記撮像手段によって撮像された画像から顔を認識し、画像全体に占める顔の画像の割合が所定の閾値よりも小さくなった場合、該撮像手段によって撮像される画像を縮小して前記映像音声出力手段に出力させることを特徴とする請求項１乃至請求項３に記載のテレビジョン受像機。
【発明の詳細な説明】
【技術分野】
【０００１】
本発明は、カメラによって撮像された画像をモニタ画面上に表示する、いわゆる電子鏡機能を有するテレビジョン受像機に関するものである。
【背景技術】
【０００２】
従来から、カメラによって撮像された画像をモニタ画面上に表示する、いわゆる電子鏡システム及びこのシステムが搭載されたテレビジョン受像機が種々提案されている。例えば、特許文献１には、ディスプレイ装置の左右両側に配置されたカメラで撮影された画像を合成して表示する電子鏡システムが示されている。また特許文献２には、カメラで撮影された画像を主画面に、予め登録された理想のメイクパターンを副画面にそれぞれ表示して、理想のメイクパターンを参照しながらメイクを実行できるようにしたテレビジョン受像機が示されている。また、特許文献３には、カメラで撮像された画像をエンドレスフレームメモリに記録して後ほど再生可能とした電子鏡システムが示されている。
【０００３】
【特許文献１】特開２０００−１８１６０１号公報
【特許文献２】特開平１１−１１２９７０号公報
【特許文献３】特開２０００−１８７５５１号公報
【発明の開示】
【発明が解決しようとする課題】
【０００４】
上記電子鏡システムにおいては、ヘアースタイルをセットしたりメイクをする際に顔周辺にズームインさせたり、全身のファッションを確認する際にズームアウトさせたりする機能を搭載することにより、通常の鏡台よりも利便性が高められている。ところが、従来の電子鏡システムにあっては、このようなズームイン／アウトを行う場合には、例えば、ユーザがリモコン装置を操作する必要があり（特許文献２の（００１８）参照）、ユーザに煩雑な操作を強いていた。また、リモコン装置の操作ボタンの点数が増大するため、リモコン装置の小型化及び低コスト化を図ることが困難となる。
【０００５】
本発明は、上記課題を解決するためになされたものであり、電子鏡機能を備えたテレビジョン受像機において、ユーザの自然な動作に応じて自動的にズームイン／アウトを行えるようにして、使い勝手を高めると共に、リモコン装置の小型化・低コスト化を図ることを目的とする。
【課題を解決するための手段】
【０００６】
上記目的を達成するために請求項１の発明は、
テレビジョン放送信号を受信する受信手段と、この受信手段によって受信された放送信号を処理して映像信号及び音声信号に分離する映像音声信号処理手段と、この映像音声信号処理手段によって分離された映像信号及び映像信号を出力する映像音声出力手段と、この映像音声出力手段の正面の領域を撮像して電気的な画像データを出力する撮像手段と、上記各部を制御する制御手段と、この制御手段に各種の指令を入力する指令入力手段とを備えたテレビジョン受像機において、
前記制御手段は、前記撮像手段によって撮像された画像の変化に応じて、該撮像手段によって撮像される画像を拡大又は縮小して、前記映像音声出力手段に出力させるものである。
【０００７】
請求項２の発明は、請求項１に記載のテレビジョン受像機において、
前記撮像手段によって撮像される画像を左右反転させて前記映像音声出力手段に出力させる電子鏡モードを備えたものである。
【０００８】
請求項３の発明は、請求項１又は請求項２に記載のテレビジョン受像機において、
前記制御手段は、前記撮像手段によって撮像された画像から顔を認識し、顔周辺の画像の変化が所定の閾値よりの大きい場合、該撮像手段によって撮像される画像を拡大して前記映像音声出力手段に出力させるものである。
【０００９】
請求項４の発明は、請求項１乃至請求項３に記載のテレビジョン受像機において、
前記制御手段は、前記撮像手段によって撮像された画像から顔を認識し、画像全体に占める顔の画像の割合が所定の閾値よりも小さくなった場合、該撮像手段によって撮像される画像を縮小して前記映像音声出力手段に出力させるものである。
【発明の効果】
【００１０】
請求項１の発明によれば、制御手段が、撮像手段によって撮像された画像の変化に応じて、その撮像画像を拡大又は縮小して、映像音声出力手段に出力させるので、ユーザは、指令入力手段を操作することなく画像をズームイン／アウトさせることができる。これにより、ユーザの利便性が高められると共に、指令入力手段の操作ボタンを削減し、指令入力手段の小型化・低コスト化を図ることができる。
【００１１】
請求項２の発明によれば、テレビジョン受像機を鏡として利用できるようになる。
【００１２】
請求項３の発明によれば、顔周辺の画像が大きく変化した場合、ユーザがヘアースタイルのセットやメイク等を行おうとしていると判断して、撮像手段によって撮像される画像を拡大して映像音声出力手段に出力させる。これにより、ユーザは、顔の周辺で手を動かしただけで指令入力手段に手を触れることなく、拡大された顔及び顔周辺の画像を確認することができる。
【００１３】
請求項４の発明によれば、ユーザが撮像手段から少し離れて、画像全体に占める顔の画像が小さくなった場合、ユーザが全身をチェックしようとしていると判断して、撮像手段によって撮像される画像を縮小して映像音声出力手段に出力させる。これにより、ユーザは、撮像手段から少し離れるだけで、全身の画像を確認することができる。
【発明を実施するための最良の形態】
【００１４】
本発明を実施するための最良の形態について図面を参照して説明する。図１はテレビジョン受像機の構成を示している。テレビジョン受像機１は、テレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号及び映像信号を出力するモニタ画面やスピーカを備えた映像音声出力部（映像音声出力手段）５と映像音声出力部５の周辺を撮像して電気的な画像データに変換して出力するＣＣＤ等の撮像素子を用いたカメラ（撮像手段）６と、カメラ６をパン駆動又はズーム駆動するためのカメラ駆動部１１と、カメラ６によって撮像された画像データを記憶するメモリ７と、通信処理を行う通信処理部８と、上記各部を制御するＣＰＵ等の制御部（制御手段）９と、ユーザが各種の指令を入力さするためのリモコン装置（指令入力手段）１０ａと、リモコン装置１０ａから送信された赤外線信号を受信する赤外線受信部１０ｂを有している。
【００１５】
通信処理部８は、インターネット１２を介してサーバ１３に接続されており、常時又は必要に応じて適宜インターネット１２に接続して、メモリ７に記憶させた画像データをサーバ１３にアップロードする。ユーザは、手持ちの携帯電話機又はパーソナルコンピュータを用いてインターネット１２を介してサーバ１３にアクセスすることにより、アップロードされた画像、すなわちテレビジョン受像機１が設置されている部屋の様子を確認することができる。
【００１６】
テレビジョン受像機１は、カメラ６によって撮像された画像を映像音声出力部５のモニタ画面上に表示させる、いわゆる電子鏡機能を備えている。図２は、電子鏡機能を用いてテレビジョン受像機１の映像音声出力部５のモニタ画面上にユーザの姿を表示させている様子を示している。この電子鏡機能は、例えば、ユーザがリモコン装置１０に設けられている特定の操作ボタンを押下して、テレビジョン受像機１の動作モードを電子鏡モードに移行させることにより有効になる。また、常時、カメラ６でテレビジョン受像機１の正面を撮像しておき、ユーザがカメラ６に顔を近づけたとき、すなわちカメラ６によって撮像された画像全体に占める顔の画像の割合が所定の閾値よりも多くなった場合に、電子鏡モードに移行させるように構成されていてもよい。この電子鏡モードにおいては、制御部９は、カメラ６によって撮像された画像データを左右反転させて映像音声出力部５に表示させる。これにより、あたかも実際の鏡に写っているかのような画像が映像音声出力部５から出力される。
【００１７】
テレビジョン受像機１は、カメラ６によって撮像された画像の変化に応じてカメラ駆動部１１を制御して、カメラ６によって撮像される画像を拡大又は縮小して映像音声出力部５に出力させる機能を有している。以下、画像を拡大又は縮小して表示する機能について、具体的に説明する。
【００１８】
図３は、ユーザがヘアースタイルのセットやメイク等を行おうとしているときのテレビジョン受像機１の動作を示している。ヘアースタイルのセットやメイク等を行う際には、ユーザは、通常、顔の周辺で手を動かすことになる。これに伴い、カメラ６によって撮像される画像のうち、顔周辺の画像が著しく変化する。そこで、制御部９は、このように顔周辺の画像の変化が所定の閾値より大きくなった場合、ユーザがヘアースタイルのセットやメイク等を行おうとしていると判断して、カメラ駆動部１１を制御して、カメラ６によって撮像される画像を拡大（ズームイン）させて映像音声出力部５に出力させる。これにより、顔及び顔周辺の画像が映像音声出力部５に拡大表示される。ここで、上記顔周辺の画像の変化の大きさを判定するための閾値は、テレビジョン受像機１の工場出荷時に予め定められた値の他、ユーザによって適宜設定できるように構成されている。また、ズームインした際に、ユーザの背景画像を白く表示することにより、この背景画像によってユーザの顔を明るく照らすように構成されていてもよい。なお、一定時間継続して顔周辺の画像に変化がない場合には、画像のサイズを拡大前に戻すようにしてもよい。
【００１９】
図４は、ユーザが全身のファッションをチェックしようとしているときのテレビジョン受像機１の動作を示している。全身のファッションをチェックする際には、ユーザは、通常、カメラ６から離れようとする。これに伴い、カメラ６によって撮像される画像全体に占める顔の画像の割合が徐々に小さくなる。そこで、制御部９は、画像全体に占める顔の画像の割合が所定の閾値よりも小さくなった場合、ユーザが全身のファッションをチェックしようとしていると判断して、カメラ駆動部１１を制御して、カメラ６によって撮像される画像を縮小（ズームアウト）させて映像音声出力部５のモニタ画面上に出力させる。これにより、ユーザがカメラから少し離れるだけで、全身の画像が映像音声出力部５に表示されることになる。ここで、上記ユーザの顔画像の割合を判定するための閾値は、テレビジョン受像機１の工場出荷時に予め定められた値の他、ユーザによって適宜設定できるように構成されている。なお、一定時間継続して画像全体に占める顔の画像の割合に変化がない場合には、画像のサイズを縮小前に戻すものとする。
【００２０】
次に、テレビジョン受像機１が電子鏡モードにあるときの動作ついて、図５及び図６に示すフローチャートを参照して説明する。テレビジョン受像機１が電子鏡モードに移行すると、まずカメラ６でテレビジョン受像機１の正面に位置する被写体を撮像する（＃１）。そして、制御部９は、カメラ６が撮像した画像を左右反転させて、映像音声出力部５のモニタ画面上に表示させる（＃２）。さらに、制御部９は、画像データを解析して、撮像した画像から顔を認識しようとする（＃３）。この顔認識行程は、例えば、デジタルカメラにおいて既に実現されている顔認識処理（すなわち、デジタル画像から、顔の輪郭形状、目、鼻、口、耳などの各パーツの距離間隔、肌の色情報等の諸情報を分析して人間の顔を認識するもの）と同等の処理によって実現できる。
【００２１】
顔が認識された後は（＃３においてＹＥＳ）、制御部９は、顔周辺の画像の変化を監視する（＃４）。顔周辺の画像が所定の閾値以上に変化した場合は（＃４においてＹＥＳ）、カメラ駆動部１１を制御して、カメラ６によって撮像される画像を拡大（ズームイン）させて映像音声出力部５に出力させる（＃５）。また、制御部９は、画像全体に占める顔の画像の割合も監視する（＃６）。画像全体に占める顔の画像の割合が所定の閾値よりも小さくなった場合、カメラ６によって撮像される画像の変化から全身の領域を推定し、カメラ駆動部１１を制御して、カメラ６によって撮像される画像を縮小（ズームアウト）させて映像音声出力部５に出力させる。その後、画像に変化があった場合には（＃９においてＹＥＳ）、＃４に戻り、一定時間継続して画像に変化がない場合には（＃９においてＮＯ）、画像サイズを拡大又は縮小前に戻し（＃１０）、リモコン装置１０ａから電子鏡モードを終了させる入力があると（＃１１）、処理を終了する。
【００２２】
以上のように、本実施形態のテレビジョン受像機１によれば、制御部９が、カメラ６によって撮像された画像の変化に応じて、電子鏡モードに移行させたり、さらにその撮像画像を拡大又は縮小して、映像音声出力部５のモニタ画面上に出力させるので、ユーザは、リモコン装置１０ａを操作することなく画像をズームイン／アウトさせることができる。これにより、ユーザの利便性が高められると共に、リモコン装置１０ａの操作ボタンを削減し、リモコン装置１０ａの小型化・低コスト化を図ることができる。また、顔周辺の画像が変化した場合、ユーザがヘアースタイルのセットやメイク等を行おうとしていると判断して、カメラ６によって撮像される画像を拡大して映像音声出力部５に出力させる。これにより、ユーザは、顔の周辺で手を動かしただけでリモコン装置１０ａに手を触れることなく、拡大された顔及び顔周辺の画像を確認することができる。また、ユーザがカメラ６から少し離れて、画像全体に占める顔の画像の割合が所定の割合よりも小さくなった場合、ユーザが全身をチェックしようとしていると判断して、カメラ６によって撮像される画像を縮小して映像音声出力部５のモニタ画面上に出力させる。これにより、ユーザは、カメラ６から少し離れるだけで、全身の画像を確認することができる。
【００２３】
なお、本発明は上記実施形態の構成に限られることなく種々の変形が可能である。例えば、上述したものとは別の特定の動作を検知して、画像の拡大又は縮小を行うようにしてもよい。また、画像のズームイン／アウトは、カメラ駆動部１１を制御することにより実現する構成に限られることなく、例えば、画像データをデジタル処理することにより実現してもよい。
【図面の簡単な説明】
【００２４】
【図１】本発明の一実施形態によるテレビジョン受像機の構成を示すブロック図。
【図２】電子鏡機能を用いてテレビジョン受像機にユーザの姿を表示させている様子を示す斜視図。
【図３】ヘアスタイルのセットを行う際のユーザとテレビジョン受像機に表示される画像を示す図。
【図４】全身のファッションのチェックを行う際のユーザとテレビジョン受像機に表示される画像を示す図。
【図５】テレビジョン受像機が電子鏡モードにあるときの動作を示すフローチャート。
【図６】図５に続いてテレビジョン受像機の動作を示すフローチャート。
【符号の説明】
【００２５】
１    テレビジョン受像機
２    チューナ（受信手段）
４    映像音声信号処理部（映像音声信号処理手段）
５    映像音声出力部（映像音声出力手段）
６    カメラ（撮像手段）
９    制御部（制御手段）
１０ａ    リモコン装置（指令入力手段）
【図１】
2008277983.tif 000003
【図２】
2008277983.tif 000004
【図３】
2008277983.tif 000005
【図４】
2008277983.tif 000006
【図５】
2008277983.tif 000007
【図６】
2008277983.tif 000008